(57)【要約】 【課題】航海データ記録装置（ＶＤＲ）によって取得されたデータを保護して、事故または「事件」の捜査の際にデータを使うことができる強化型の航海記録装置（ＨＶＲ）を提供すること。【解決手段】本発明の強化型航海記録装置は、航海船舶上において用いられる取外し可能なメモリモジュールを含む強化型航海記録装置であって、該取外し可能なメモリモジュールは、（ａ）ソリッドステートメモリを収容する内部キャビティを含む外側ハウジングと、（ｂ）該外側ハウジング用のカバーと、（ｃ）該内部キャビティの内部に配置される熱絶縁体であって、該熱絶縁体は、第２の内部キャビティの少なくとも一部分を規定し、該ソリッドステートメモリは、該第２の内部キャビティ内に配置される、熱絶縁体とを備える。【選択図】図２
2006151384.tif 000002
【特許請求の範囲】
【請求項１】
航海船舶において用いられる取外し可能なメモリモジュールを含む強化型航海記録装置であって、該取外し可能なメモリモジュールは、
（ａ）ソリッドステートメモリを収容する内部キャビティを含む外側ハウジングと、
（ｂ）該外側ハウジング用のカバーと、
（ｃ）該内部キャビティの内部に配置された熱絶縁体であって、該熱絶縁体は、第２の内部キャビティの少なくとも一部分を規定し、該ソリッドステートメモリは、該第２の内部キャビティ内に配置されている、熱絶縁体と
を備える、強化型航海記録装置。
【発明の詳細な説明】
【技術分野】
【０００１】
本発明は、海上輸送船舶の運行に関するデータを記録するための方法および装置に関する。より詳細には、本発明は、事故または「事件」に至るデータを記録し、保護するための方法および装置に関する。さらに、本発明は概して、熱に弱いアイテム（例えば、航海データ記録装置において用いられるソリッドステートメモリデバイスおよびそのようなもの）を、航海事故の後に発生し得る火災から保護する方法および装置に関する。本発明は概して、このようなアイテムを衝撃による損傷および湿気による影響から保護する方法および装置にも関する。
【背景技術】
【０００２】
国外にいる船舶において発生するデータおよび可聴コマンドの記録は、航海時の事故および事件の調査に有用であり得ることが、長年指摘されてきた。実際、これは従来の船舶の航海日誌にとって欠かせない技術適用であると、多くの人が認識していた。このような要望が頂点に達したことにより、航海データ記録装置（ＶＤＲ）の性能を管理する国際規格が作られた。
【０００３】
上記の主張の価値は、１９７４年、国際海事機関（ＩＭＯ）の「海上における人命の安全のための国際条約」（ＳＯＬＡＳ）会議によって承認され、同会議は、航空機のフライトレコーダである「ブラックボックス」に類似した記録装置を船舶に搭載したいとの希望を表明した。これが契機となって、航海データ記録装置（ＶＤＲ）に関する国際規格および要件が時間をかけて確立されることとなった。
【０００４】
１９９６年、長年議論が重ねられてきたこのＶＤＲに関する要件が、ＩＭＯの航行（ｎａｖｉｇａｔｉｏｎ）およびエレクトロニクスに関する部会（ＮＡＶ）において浮上した。その後のＩＭＯによるＶＤＲに関する決議を見越して、ＩＥＣ（国際電気標準会議）ＴＣ８０はＷＧ１１を形成し、ＮＡＶによる要求の起草案に基づいて、ＶＤＲに関する仕様の構築に着手した。１９９７年１１月、ＩＭＯはＡ．８６１（２０）に関する決議を通過させ、１９９９年３月の投票による委員会の草案として、ＩＥＣ規格６１９９６が完成した。この仕様書は、２０００年８月に公開された。
【０００５】
ＩＥＣ６１９９６の海上輸送データ記録装置の性能に関する要求においては、データ取得機能および格納機能についての記載があり、「保護カプセル」および「最終格納媒体」について言及している。この規格を満たすためのアーキテクチャが、２つの主要コンポーネントと共に現れた。
【０００６】
第１のコンポーネントにおいて、船舶のインターフェース、データ取得機能およびソフト記録機能が、データ管理ユニット（ＤＭＵ）に収容される。ＤＭＵは、比較的良好な環境のブリッジでの取付けを想定している。第２のコンポーネントは、保護カプセルおよび最終格納媒体を収容する強化型の航海記録装置（ＨＶＲ）である。ＨＶＲは、残存性および復元性を重要視して設計され、船橋楼甲板へのまたは上部構造の上面への外部からの取付けを想定している。
【０００７】
強化型の航海記録装置（ＨＶＲ）の主な機能は、航海データ記録装置（ＶＤＲ）によって取得されたデータを保護して、事故または「事件」の捜査の際にデータを使うことができるようにすることである。
【０００８】
同一譲受人に譲渡され、かつ、同時係属中である米国特許出願に、ＨＶＲのエレクトロニクスおよびソフトウェアに関連する詳細についての開示がある。本願は、メモリを含む「保護カプセル」の物理的な面についての詳細に関する。この保護カプセルは、衝撃による損傷、熱による損傷および湿気による損傷からメモリを保護しなければならない。
【０００９】
航空機のフライトレコーダの分野では、「ボイラー」を用いて、メモリを熱による損傷から保護することが知られている。本明細書中、「ボイラー」という用語を、保護対象のデバイス（例えば、ソリッドステートメモリデバイス）から熱質量を隔離するために用いることが可能な、複数の（２つ以上の）区画分けされた収納構造として定義する。
【００１０】
１９９８年５月１２日に出願された、「Ｆｌｉｇｈｔ  Ｃｒａｓｈ  Ｓｕｒｖｉｖａｂｌｅ  Ｓｔｏｒａｇｅ  Ｕｎｉｔ  Ｗｉｔｈ  Ｂｏｉｌｅｒ  Ｆｏｒ  Ｆｌｉｇｈｔ  Ｒｅｃｏｒｄｅｒ  Ｍｅｍｏｒｙ」というタイトルの米国特許第５，７５０，９２５号（原譲受人：Ｌｏｃａｌ  Ｆａｉｒｃｈｉｌｄ，Ｃｏｒｐ．）に、このような「ボイラー」についての記載がある。本明細書中、同特許の内容全体を参考のため援用する。より詳細には、この’９２５特許では、摂氏１１００度（およそ華氏２０００度）の温度に耐えるように設計されたユニットについての記載がある。本明細書中、この温度を、比較的短期間における「高温」環境として定義する。
【００１１】
’９２５特許に記載されたこのユニットは、熱に弱いコンポーネント（例えば、ソリッドステートメモリ）を高温環境（例えば、航空機の火災が生じることの多い環境）において保護する用途に適している。しかし、航海における衝突の後に熱に弱いコンポーネントを残存させるという点に密接に関係する問題は、航空機事故の後のそれとは全く異なり、また、Ｐｕｒｄｏｍらによってもあるいはあらゆる公知の航海記録装置によっても対策は講じられていない。
【００１２】
詳細には、航海記録装置は、「低温」での火災（すなわち、比較的長時間（例えば、１０時間）にわたって２６０℃で燃える（またはくすぶる）火災。これを本明細書における低温火災の定義とする）において残存しなければならない。このような要求は、１１００℃の環境に１時間にわたって耐える能力を要求している航空機レコーダ業界の高温残存性に関する仕様とは、反対である。
【００１３】
低温火災は、従来技術の保護ユニット（例えば、上記にて援用した’９２５特許に記載の保護ユニット）の場合は問題とはならなかった。なぜならば、これらのユニットでは、「ＴＳＯＰ」（肉薄小型外形パッケージ）メモリコンポーネントを用いて、そこからリードを伸ばしていたからである。その結果、基板が低温火災において残存できなかった（あるいは残存しなかった）した場合にも、メモリは必ず残存し、「再作動」（すなわち、別の基板上に容易に配置して、読み出すこと）が可能であった。
【００１４】
本願（航海記録装置に関する出願）では、基板レベルでの低温火災残存性が非常に重要となる。なぜならば、この点は、メモリコンポーネント用の「ＢＧＡ」（ボールグリッドアレイ）パッケージを用いる際に所望される点であるからである。これらの小型のパッケージはより高密度でのパッケージングが可能であり、「不動産」の利用が少ないなどの特徴があるが、接続がデバイスの下で行なわれるという制約（すなわち、（ＴＳＯＰからはリードは伸びているのに対し）ＢＧＡパッケージの周辺部からはリードが伸びていない点）が難点となっている。これにより、低温火災後に基板を再作動させることが困難または不可能になっている。それでも、このＢＧＡ設計は、別の場合においては上記のような理由（および下記に述べるような理由）のために所望されている。
【００１５】
さらには、例えば、ＢＧＡはＴＳＯＰよりも接続部分の間隔が大きいため、ＢＧＡパッケージングが望ましい。この点により、ＢＧＡの方が半田ブリッジを回避するのが容易となるため、ＢＧＡユニットの信頼性が増す。信頼性が高いことに加えて、ＢＧＡメモリを用いたユニットは、作製が容易である。
【００１６】
そのため、ＢＧＡからのリード伸長ができない点と、低温火災時に基板が破壊された場合にメモリ格納ユニットの再作動が困難（あるいは不可能）である点とを以ってしても、ＢＧＡメモリを（航海でのコンテキストにおいて）提供し、保護すること（すなわち、（比較的長時間にわたる低温火災において基板レベルで残存することが可能な）ボイラーによって保護されたＢＧＡソリッドステートメモリを提供すること）が望ましい。
【００１７】
さらに、’９２５特許を基準フレームとして用いて、同特許に記載されているボイラーは、航海での用途において要求される機械的統合性を提供しない。より詳細には、航海用途の仕様において「貫入」について述べた部分は、フライトレコーダに関するそれとは異なる。なぜならば、航海事故に伴う物体のサイズは、航空機の衝突に伴う比較的軽量の物体よりもかなり大きいことが多いからである。
【００１８】
そのため、貫入物（貫入する物体）はエネルギーを吸収せず、破壊される。物体（例えば、船舶のコンポーネントまたは船舶そのもの）は（航空機部品と比較して）比較的大きく、重量も重く、また、貫入物のエネルギーは直接ボイラーに向かい得るため、航海のコンテキストにおいてボイラーを用いる際の構造の問題は、フライトレコーダのコンテキストには存在しなかった新たな深刻な問題となっている。航海用途のボイラーが残存し、その保護機能を果たした場合、ボイラーに用いられる形状、構造および材料が問題となる。
【００１９】
従来技術のボイラーが呈しているさらなる問題（例えば、’９２５特許に記載されている問題）のために、従来技術のボイラーには航海用途における適切性の点において制約がある。詳細には、このようなボイラーと関連して用いられるケーブルを出す設計は、航海用途には不適切である。なぜならば、この設計は、ボイラーそのものの構造統合性に強い影響を与えるため、航海環境用途には不適切であるからである。
【００２０】
’９２５特許を参照すると、プレートエッジ部から矩形に切り抜かれた部分を介してケーブルをボイラーから出していることが分かる；これが、ふたの弱点となっている。
【発明の開示】
【発明が解決しようとする課題】
【００２１】
本発明の目的は、航海データ記録装置（ＶＤＲ）によって取得されたデータを保護して、事故または「事件」の捜査の際にデータを使うことができる強化型の航海記録装置（ＨＶＲ）を提供することである。
【課題を解決するための手段】
【００２２】
本発明の実施形態は、ＩＥＣ６１９９６試験仕様の要件を満足するかまたは上回る強化型航海記憶装置を提供する。
【００２３】
本発明の実施形態はまた、ボイラーにおいて保護されるメモリユニットを組み込んだ強化型航海記憶装置を提供する。
【００２４】
本発明の実施形態は、低温火災に比較的長時間耐えることのできるボイラーを含む強化型航海記憶装置を提供する。
【００２５】
本発明の実施形態は、ＢＧＡメモリを用いた強化型航海記憶装置を提供する。
【００２６】
本発明の実施形態は、ボイラーの統合性に影響が出ないように改良されたケーブル配線を備えたボイラーを含む強化型航海記憶装置を提供する。
【００２７】
本発明の実施形態は、改良されたカバーを有するボイラーを含む強化型航海記憶装置を提供する。
【００２８】
本発明の実施形態は、ボイラーによって保護されるスタック型メモリを含む強化型航海記憶装置を提供する。
【００２９】
本発明を実現する強化型航海記憶装置（ＨＶＲ）は、２つの分離可能なサブアセンブリを含む。第１のサブアセンブリは、船舶に直接取り付けられ、かつ、電力接続およびデータ接続用の防水ケーブルを挿入できるように設計された、取付けベースサブアセンブリである。第２のサブアセンブリは、素早い取外しが可能なクランプによって取付けベースに取り付けられた取外し可能な強化型メモリサブアセンブリである。
【００３０】
上記強化型メモリサブアセンブリは、外部に取り付けられる水中位置ビーコンのためのブラケットを有する。上記水中位置ビーコンは、（スプレー、雨またはホースによる放水が原因となって発生する不注意による活性化を回避するための）デュアル活性化湿気センサを備える。上記ＨＶＲは好適には、白色の反射ラベルの付いた視認性の高いオレンジ色の蛍光色で塗装される。上記反射ラベルは、以下のような必要なテキストを含む：これは、航海データ記憶装置です。開けないでください。（開けた場合）当局に通報が行きます。
【００３１】
上記取付けベースサブアセンブリは、本願と同時出願された米国特許出願により詳細に開示されているような、上記強化型メモリサブアセンブリ中のメモリに対するデータ受信およびデータ書込みを行うための電子回路を含む。
【００３２】
上記取外し可能な強化型メモリサブアセンブリは好適には、１．５ギガバイトのスタック状に構成されたＢＧＡソリッドステートメモリを含む。上記ＢＧＡソリッドステートメモリは、ボイラーにおいて保護される。この好適な上記によれば、上記強化型メモリサブアセンブリは、実質的に円筒状のステンレススチール「ベル」を含む。上記ベルは、上記ボイラーを受け入れる円筒状のウェルを規定する実質的な絶縁層を含む。
【００３３】
本発明を実現するボイラーは、二又分岐型の円筒状部材を含む。上記二又分岐型の円筒状部材の一方の部分は、相変化材料またはヒートシンクとして機能する「熱質量」を含むように適合された熱膨張型キャビティである。上記二又分岐型の円筒状部材のもう一方の部分は、スタック型メモリ用の格納区画を規定する。
【００３４】
一実施形態において、リボンケーブルが、上記スタック中の最終メモリ基板から伸びて、ステンレススチールカバーのエッジ部から間隔を空けて配置された円形の開口部を通過する。上記ボイラーは、上記ベル中の絶縁部によって規定される上記円筒状のウェルに配置される。上記リボンケーブル上には、上記リボンケーブルを保護するためのシリコンゴムパッドが配置され、上記円筒状のウェル中には、円筒状の絶縁体が充填される。ステンレススチールカバーは、絶縁部および上記ボイラーを上記ベル中に保持するために用いられ、２つのスナップリングによって上記ベルにロックされる。
【００３５】
本発明の強化型航海記録装置は、航海船舶上において用いられる取外し可能なメモリモジュールを含む強化型航海記録装置であって、該取外し可能なメモリモジュールは、（ａ）ソリッドステートメモリを収容する内部キャビティを含む外側ハウジングと、（ｂ）該外側ハウジング用のカバーと、（ｃ）該内部キャビティの内部に配置される熱絶縁体であって、該熱絶縁体は、第２の内部キャビティの少なくとも一部分を規定し、該ソリッドステートメモリは、該第２の内部キャビティ内に配置される、熱絶縁体とを備え、これにより上記目的が達成される。
【００３６】
前記第２の内部キャビティ内に配置されたボイラーをさらに備え、該ボイラーは、熱質量を収容するための収納区画と、内部に前記ソリッドステートメモリが配置される保護区画と、該収納区画と該保護区画を相互接続するための手段とを含み、該相互接続手段は、開くと、該収納区画と該保護区画との間に通路を提供し得る。
【００３７】
前記ソリッドステートメモリは、およそ１０時間にわたる２６０°Ｃのオーダーの温度から保護され得る。
【００３８】
前記ソリッドステートメモリは少なくとも１つのＢＧＡチップを含み得る。
【００３９】
前記外側ハウジングは、航海用途に適した衝撃統合性を有し得る。
【００４０】
前記ボイラーは、前記保護区画を被覆するカバープレートを含み、該カバープレートは、該カバープレートのエッジ部から間隔を空けて配置された貫通穴を規定し、前記ソリッドステートメモリは、該貫通穴を通じて伸びるケーブルに結合され得る。
【００４１】
前記ソリッドステートメモリはＢＧＡメモリを含み得る。
【００４２】
前記ソリッドステートメモリはスタック型メモリであり得る。
【００４３】
前記ボイラーは、前記保護区画を被覆するカバープレートを含み、該カバープレートは、該カバープレートのエッジ部から間隔を空けて配置された貫通穴を規定し、前記ソリッドステートメモリは、該貫通穴を通じて伸びるケーブルに結合され得る。
【００４４】
前記貫通穴は実質的に円形であり得る。
【００４５】
前記カバープレートは前記ボイラーにプレスばめされ得る。
【００４６】
前記熱質量は相変化材料（ＰＣＭ）を含み得る。
【００４７】
前記ＰＣＭは、熱を吸収する気化作用によるエネルギー吸収を用い得る。
【００４８】
前記ＰＣＭは水であり得る。
【００４９】
前記水は、該水が凍結または膨張するのを抑止する乾燥材料中に含まれ得る。
【００５０】
前記乾燥材料は、スポンジ、シリカ、ポリアクリルアミド、ケイ酸カルシウムまたは陶磁器用土を含み得る。
【００５１】
前記熱質量は、水およびシリカを組み合わせることにより形成される乾燥粉体であり得る。
【００５２】
前記熱質量は、衝撃を吸収し得る。
【００５３】
前記熱質量は、水とポリアクリルアミドとを組み合わせることにより形成されるゲルであり得る。
【００５４】
所定の温度において開くことにより、前記熱質量を前記通路に流すことを可能にする安全バルブをさらに備え得る。
【００５５】
前記安全バルブは、所定の温度において解放される少なくとも１つの熱ベントプラグを備え得る。
【００５６】
前記熱ベントプラグは、蝋、パラフィン、ビスマス合金または電気半田を含み得る。
【００５７】
前記外側ハウジング用の前記カバーは、スナップリングによって該外側ハウジングに結合され得る。
【００５８】
前記外側ハウジング用の前記カバーは、２つのスナップリングによって該外側ハウジングに結合され得る。
【００５９】
前記外側ハウジングは、３メートルの距離から発射された１００ｍｍ、２５０ｋｇの貫入物に耐え得る。
【発明の効果】
【００６０】
本発明により、航海データ記録装置（ＶＤＲ）によって取得されたデータを保護して、事故または「事件」の捜査の際にデータを使うことができる強化型の航海記録装置（ＨＶＲ）を提供できる。
【発明を実施するための最良の形態】
【００６１】
ここで図１〜３を参照して、本発明による強化形航海記憶装置（ＨＶＲ）１０は、２つの分離可能なサブアセンブリを含む。第１のサブアセンブリ１２は、船舶に直接取り付けられ、かつ、電力接続部およびデータ接続部用の防水ケーブルを挿入できるように設計された、取付けベースサブアセンブリである。第２のサブアセンブリ１４は、素早い取外しが可能なクランプによって取付けベースに取り付けられた、取外し可能な強化型メモリサブアセンブリである。
【００６２】
ここで、図１および２に示すようなサブアセンブリ１２の機械的特徴を参照して、取付けベースサブアセンブリ１２は、３つの取付け穴１８、２０、２２を規定する下部フランジ１６を有する。電力ケーブルとデータケーブルと（図示せず）の防水接続を提供するために、２つのケーブルグランドコネクタ２４、２６が提供される。図２において最良に分かるように、サブアセンブリ１２には、上部フランジ２８も設けられる。上部フランジ２８は、取外し可能な強化型メモリサブアセンブリ１４とのシーリング係合を提供するために用いられる
強化型メモリサブアセンブリ１４の機械的特徴としては、水中位置ビーコン４０外部から取り付けられる用のブラケット３８がある。このビーコンは好適には、スプレー、雨またはホースによる放水が原因となって発生する不注意による活性化を回避するためのデュアル活性化湿気センサを備える。サブアセンブリ１４はまた、２つのリフトハンドル４２、４４と下部フランジ４６とを有する。下部フランジ４６は、サブアセンブリとのシーリング係合を提供するために用いられる。
【００６３】
ＨＶＲはまた、２つの素早い取外しが可能なクランプ５０、５２を有するＶ字バンド４８も有する。上述したように、ＨＶＲは好適には、白色の反射ラベル（例えば、図１および図２に図示のラベル５４）を備えた、視認性の高いオレンジ色の蛍光色で塗装される。この反射ラベルは、以下のような（ＩＥＣ６１９９６によって）必要とされているテキストを含む：これは、航海データ記憶装置です。開けないでください。（開けた場合）当局に通報が行きます。反射テープのストリップ１９が図１に図示されており、これは、ＩＥＣ６１９９６の要件をさらに満足させるものである。
【００６４】
ＨＶＲ１０のこの好適な実施形態は、高さがおよそ１３インチで、直径はおよそ８インチである。サブアセンブリ１２の下部フランジ１６は実質的に三角形であり、側部はおよそ１０インチである。ＨＶＲの総重量はおよそ４１ポンドであり、その中には、ベース１２の重量であるおよそ１３ポンドと、メモリサブアセンブリ１４の重量であるおよそ２８ポンドとが含まれる。
【００６５】
図４に示すように、サブアセンブリ１４は概して、ボイラー５８において保護されるメモリ５６を含む。
【００６６】
より詳細には、サブアセンブリ１４は、ステンレススチールベル６０を含む。ステンレススチールベル６０は好適には円筒状の形状であり、第１の内部円筒状空間６２を規定する。この円筒状空間６２中には、第２の内部円筒状空間６６を規定する第１の絶縁部材６４が配置される。
【００６７】
図４から分かるように、円筒状空間６６は、段差形状を有する。円筒状空間６６中には、メモリ５６を含むボイラー５８が配置される。円筒状空間６６中に第２の絶縁部材６８が配置され、ボイラー５８と空間６６の段差部分とを被覆する。ベル６０は、ステンレススチールディスク７０でシーリングされる。このステンレススチールディスク７０は、内側スナップリングおよび外側スナップリング（図示せず）によって所定位置に保持される。
【００６８】
ここで図５〜図８を参照して、本発明によるボイラー５８は、二又分岐型の円筒状部材８０を含む。この二又分岐型の円筒状部材８０の一方の部分は、相変化材料すなわちヒートシンクとして機能する「熱質量」（図示せず）を含むように適合された、熱膨張型キャビティ８２（これを、図７において最良に図示する）である。二又分岐型の円筒状部材８０のもう一方の部分８４は、スタック型メモリ５６用の格納区画を規定する。これらの２つの部分８２および８４は、デミスター壁８３によって分断される。デミスター壁８３は、安全バルブ８５を含む。この安全バルブ８５は、所定の温度で開くことにより、熱質量を区画８４中に入らせて、メモリを火災から保護する。
【００６９】
熱質量としての用途に適した適切な化合物を挙げると、水および蝋があり、これらはどちらとも相変化材料である。しかし、熱質量は相変化材料でなくてもよい。熱質量に要求されるのは、ヒートシンクとしての機能だけである。本発明の一実施形態によれば、水の凍結または膨張を阻止する乾燥材料中に水を含ませる。このような材料としては、（例えば）スポンジ、シリカ、ポリアクリルアミド、ケイ酸カルシウムまたは陶磁器用土がある。熱質量を収容する収納区画８２は、熱質量の膨張を収容するための熱膨張型キャビティを含むことができる点に留意されたい。
【００７０】
別の受容可能な熱質量としては、水およびシリカの組み合わせによって形成される乾燥粉体熱質量か、または、水およびポリアクリルアミドの組み合わせによって形成されるゲルがある。このような組成物から生成された熱質量は、本質的に衝撃を吸収し、これにより、ボイラー８０中に含まれるメモリ５６をさらに保護することが可能となる。
【００７１】
この好適な実施形態によれば、メモリ５６は、３つの回路基板８６、８８、９０を含む。これらの３つの回路基板８６、８８、９０はそれぞれ、電気結合部８７、８９、９１を有する。各回路基板は好適には、４個の１２８メガバイトのＢＧＡメモリチップまたは１６個の３２メガバイトのＢＧＡメモリチップ（図示せず）から組み立てられた、５１２メガバイトのメモリを提供する。従って、メモリ５６の総容量は好適には１．５ギガバイトである。上記にて援用した関連出願に記載されているように、メモリ基板に有利にＭＩＣチップを設けて、メモリをアドレシングしてもよい。
【００７２】
各メモリ基板には、４つの周辺取付け穴９２、９４、９６、９８；１００、１０２、１０４、１０６；および１０８、１１０、１１２、１１４が設けられる。３つのメモリ基板８６、８８、９０は、４つのねじ１１６、１１８、１２０、１２２と、４つのナイロン製ナット（そのうち３つのみを図５中に示す）１２４、１２６、１２８と、８個のスペーサ（そのうち６つのみを図５中に示す）１３０、１３２、１３４、１３６、１３８、１４０と組み立てられる。
【００７３】
これらの４つのねじ１１６、１１８、１２０、１２０はそれぞれ、図８中のねじ１２２を参照すると最良に図示してあるねじ切り（ｔｈｒｅａｄｅｄ）ヘッドを有する。４つの短尺短尺ねじ１５２、１５４、１５６、１５８によって、４つの周辺取付け穴１４４、１４６、１４８、１５０を有するカバープレート１４２を、ねじ１１６、１１８、１２０、１２０のねじ切りヘッドに締め付ける。図８に示すように、基板間コネクタは、基板の一方の側に雌部を有し、基板のもう一方の側に雄部を有し、これにより、任意の数のスタッキングを可能にする。従って、カバープレート１４２に直接隣接するコネクタ９１が、テープ１６０の一部によってカバープレートから絶縁される。本発明の好適な実施形態によれば、図８に最良に示すように、カバープレート１４２は、ボイラー８０中にプレスばめされる。
【００７４】
本発明のこの好適な実施形態によれば、図８に最良に示すように、リボンケーブル１６２は、最終メモリ基板９０にハードワイヤードされる。上記にて援用した本願と同時出願された関連出願により詳細に記載があるように、リボンケーブル１６２には好適にはＪｌＯコネクタ１６４が設けられ、これにより、ベースアセンブリ中の電子回路に結合される。
【００７５】
本発明の好適な実施形態によれば、カバープレート１４２には、プレートのエッジ部から間隔を空けて配置された円形の開口部１６６が提供される。リボンケーブル１６２は、この開口部１６６を通過する。
【００７６】
これらの図（特に図４）に示すように、ケーブル１６２は、６つの湾曲部を通る経路をたどる。これらの湾曲部により、ケーブルがボイラーから出て行き、２つの絶縁体６４、６８（図４）の間を通って、ステンレススチールディスク７０中の開口部７１を介してベル６０から出て行き、ベルの底部上を移動して、図２中の電子回路サブアセンブリ１２に向かうことを可能にする。開口部７１から出ていくときのストレスを軽減するため、開口部７１にケーブルガイド７３が隣接して配置される。
【００７７】
図４中に最良に示すように、リボンケーブルの構成は、リボンケーブルが、従来技術のボイラー（例えば、上述したような９２５特許のボイラー）の場合におけるケーブルのように絶縁部を横断しなくてもよいような構成にされる。本発明によれば、このケーブルは、ケーブルと絶縁部との間に配置されたシリコンゴムパッドによってさらに保護される。
【００７８】
本発明による取外し可能なメモリサブアセンブリは、３メートルの距離から発射された１００ｍｍで２５０ｋｇの貫入物に耐える。この取外し可能なメモリサブアセンブリは、は、１１ｍｓの正弦半周期の５０ｇの衝撃と６，０００メートルの深さの浸没とに耐える。このメモリは、２６０℃の火災に１０時間耐える。
【００７９】
本明細書において、強化型航海データ記録装置と、取外し可能なメモリモジュールアセンブリと、内部のメモリを保護するためのボイラーとについて説明および図示してきた。本発明の特定の実施形態について説明してきたが、本発明をこれらの実施形態に限定することは意図していない。なぜならば、本発明は、当該分野が許す限りの範囲において広範であり、本明細書もそのように読まれることを意図しているからである。従って、当業者であれば、本明細書中の特許請求の範囲に記載されている意図および範囲から逸脱することなく、記載の発明に特定の改変を為すことが可能であることが、理解される。
【００８０】
強化型航海データ記録装置は、２つのサブシステム（すなわち、取外し可能な不揮発性メモリモジュールと、データ感知システムへの通信および上記メモリへのアクセスを行うための電子回路ならびにファームウェアを含むベース）を有する。本発明によれば、上記メモリは、「ボイラー」において保護されたスタック型ＢＧＡメモリである。上記「ボイラー」は、比較的長時間の低温火災環境に耐えるように設計される。上記ボイラーおよび上記メモリモジュールサブシステムは、海難事故に関連する貫入力に耐えるように設計される。上記メモリのケーブル配線は、上記ボイラーの統合性に悪影響が出ないように構成される。
【図面の簡単な説明】
【００８１】
【図１】図１は、本発明によるＨＶＲの斜視図である。
【図２】図２は、本発明によるＨＶＲの側面図である。
【図３】図３は、ビーコンブラケットを取り外した状態の強化型メモリサブアセンブリ側部の立面図である。
【図４】図４は、図３中の線Ａ〜Ａに沿った断面図である。
【図５】図５は、本発明によるボイラーの分解斜視図である。
【図６】図６は、ボイラーを組み立てた状態の平面図であり、リボンケーブルを示す。
【図７】図７は、ボイラーを組み立てた状態の部分的断面側部の立面図である。
【図８】図８は、図７において丸で印を付けた部分を拡大した詳細図である。
【符号の説明】
【００８２】
１２  サブアセンブリ
１４  強化型メモリサブアセンブリ
１６  下部フランジ
２８  上部フランジ
３８  ブラケット
４０  水中位置ビーコン
【図１】
2006151384.tif 000003
【図２】
2006151384.tif 000004
【図３】
2006151384.tif 000005
【図４】
2006151384.tif 000006
【図５】
2006151384.tif 000007
【図６】
2006151384.tif 000008
【図７】
2006151384.tif 000009
【図８】
2006151384.tif 000010